(57)【特許請求の範囲】
【請求項１】
造営面に設けた埋込孔の開口周部を覆う形で造営面に取着されるとともに埋込型の配線器具が挿入される開口窓を有した枠本体と、前記配線器具の一側面に突設した取付爪を係止する取付溝を有し前記開口窓の一側縁に沿って設けられた固定梁部と、前記配線器具の他側面に突設した取付爪を係止する取付溝を有し前記開口窓の他側縁に沿って設けられ固定梁部との距離が可変となる方向に撓み自在である可動梁部とを備え、前記配線器具の一部を露出させた形で前記枠本体を覆う化粧プレートを着脱自在に係止する化粧プレート係止部が前記枠本体に設けられ、前記枠本体を防滴した形で覆う防滴プレートを取付可能とするプレート取付部が前記枠本体に設けられている配線器具用の取付プレートと、前記枠本体を覆うベースと、前記配線器具を覆う位置と前記配線器具を開放する位置との間で開閉自在となるようにベースに取り付けられたカバー体と、前記造営面と前記ベースの周部との間に挟装される枠状のパッキンとを備え、パッキンの造営面側の周部には他の部位よりも後方に突出しパッキンが造営面に当接したときに撓むフィン部が形成され、前記取付プレートの一側縁において造営面に沿って突設された受け片を挿入可能とする複数個の逃がし切欠が、フィン部の内側であって前記パッキンの中心を通る対称軸の回りで２回回転対称となる位置で前記パッキンに設けられている防滴プレートを具備することを特徴とする配線器具用の取付構造。
【請求項２】
前記可動梁部および前記固定梁部の延長方向において前記開口窓に３個まで並設可能な配線器具の寸法を単位寸法として、前記取付溝を単位寸法の配線器具を２個取付可能に設けるとともに、前記可動梁部および前記固定梁部の延長方向において前記開口窓を等分する中心線に対して前記取付溝を対称に配置していることを特徴とする請求項１記載の配線器具用の取付構造。
【請求項３】
前記防滴プレートはプレート固定ねじが挿通される固定孔を備え、前記プレート取付部はプレート固定ねじを受けるねじ受け部であることを特徴とする請求項１または請求項２記載の配線器具用の取付構造。
【請求項４】
前記ねじ受け部はプレート固定ねじに螺合するナットが圧入可能な形状に形成されていることを特徴とする請求項３記載の配線器具用の取付構造。
【請求項５】
前記ねじ受け部はプレート固定ねじが螺合するねじ孔であることを特徴とする請求項３記載の配線器具用の取付構造。
【請求項６】
前記化粧プレート係止部は、前記化粧プレートに突設された係止突起が挿入係止される化粧プレート係止孔であることを特徴とする請求項１ないし請求項５のいずれかに記載の配線器具用の取付構造。
【発明の詳細な説明】
【０００１】
【発明の属する技術分野】
本発明は、壁面等の造営面に形成した埋込孔に埋込型の配線器具を取り付けるために用いられる配線器具用の取付構造に関するものである。
【０００２】
【従来の技術】
一般に、新築される建築物においてコンセントやスイッチのような配線器具を壁面等の造営面に施工するに際しては、造営面内の空間に配線を収納しておき、配線に接続される配線器具の一部を造営面に埋め込んだ形で造営面に取り付けている。このように、いわゆる先行配線を行うことによって造営面に配線を露出させず、また埋込型の配線器具を用いることによって造営面での配線器具の露出量を少なくし、結果的に配線器具を配置する造営面の外観が損なわれないようにしているのである。
【０００３】
ところで、埋込型の配線器具を造営面に取り付けるには、配線器具を保持するとともに造営面に取着される取付枠と、配線器具を埋め込むために設けた埋込孔の周部を覆うプレート枠とが必要であり、一般にはプレート枠と取付枠とを同時に造営面に固定している。また、プレート枠は化粧プレートによって覆われる。しかしながら、このような構成では配線器具を造営面に取り付けるために固定具類を除いても取付枠とプレート枠と化粧プレートとの３部材が必要になり、部材数が多くなる。また、化粧プレートは取付枠に螺合するねじを用いて取付枠に固定されるようになっているから、化粧プレートの前面側にねじが露出して外観を損なうという問題を有している。
【０００４】
そこで、プレート枠に配線器具を保持する機能を持たせた取付プレートを設けることによって取付枠を不要にすることが提案されている（実開平１６４９１１号公報等）。この種の取付プレートでは化粧プレートを着脱自在に係着する構成を採用し、化粧プレートの表面にねじ類を露出させないようにしてある。
【０００５】
【発明が解決しようとする課題】
ところで、上述した配線器具を屋外（つまり外壁）に配置するには、雨滴などから配線器具を保護する必要がある。そこで、造営面との間にパッキンを挟装した形で取付枠に取り付けられるとともに、配線器具を覆う位置と配線器具を露出させる位置との間で開閉するカバー体を備えた防滴プレートが提供されている（特開昭６３−１６１０６号公報に記載された従来例など）。防滴プレートを用いる際にはプレート枠および化粧プレートは不要であるから、化粧プレートを取り付けるためのプレート固定ねじが螺合するねじ孔を用いて防滴プレートを取り付けるようにしている。つまり、防滴プレートは、取付枠に対してプレート固定ねじねじを用いて固定され、プレート固定ねじの締付力によってパッキンを造営面に押し付けるようになっている。
【０００６】
しかしながら、上述した取付プレートを用いる際には取付枠を用いずに施工しており、しかも化粧プレートが取付プレートに係着される構造を採用しているから、防滴プレートを取り付けるためのプレート固定ねじを螺合させる相手が存在せず、防滴プレートを取り付けることができない。つまり、上述した配線器具を外壁に取り付ける際には取付プレートを用いることができない。
【０００７】
本発明は上記事由に鑑みて為されたものであり、その目的は、屋外と屋内とのいずれでも使用できるようにした配線器具用の取付構造を提供することにある。
【０００８】
【課題を解決するための手段】
請求項１の発明は、造営面に設けた埋込孔の開口周部を覆う形で造営面に取着されるとともに埋込型の配線器具が挿入される開口窓を有した枠本体と、前記配線器具の一側面に突設した取付爪を係止する取付溝を有し前記開口窓の一側縁に沿って設けられた固定梁部と、前記配線器具の他側面に突設した取付爪を係止する取付溝を有し前記開口窓の他側縁に沿って設けられ固定梁部との距離が可変となる方向に撓み自在である可動梁部とを備え、前記配線器具の一部を露出させた形で前記枠本体を覆う化粧プレートを着脱自在に係止する化粧プレート係止部が前記枠本体に設けられ、前記枠本体を防滴した形で覆う防滴プレートを取付可能とするプレート取付部が前記枠本体に設けられている配線器具用の取付プレートと、前記防滴プレートは、前記枠本体を覆うベースと、前記配線器具を覆う位置と前記配線器具を開放する位置との間で開閉自在となるようにベースに取り付けられたカバー体と、前記造営面と前記ベースの周部との間に挟装される枠状のパッキンとを備え、パッキンの造営面側の周部には他の部位よりも後方に突出しパッキンが造営面に当接したときに撓むフィン部が形成され、前記取付プレートの一側縁において造営面に沿って突設された受け片を挿入可能とする複数個の逃がし切欠が、フィン部の内側であって前記パッキンの中心を通る対称軸の回りで２回回転対称となる位置で前記パッキンに設けられている防滴プレートを具備するものである。
【０００９】
請求項２の発明は、請求項１の発明において、前記可動梁部および前記固定梁部の延長方向において前記開口窓に３個まで並設可能な配線器具の寸法を単位寸法として、前記取付溝を単位寸法の配線器具を２個取付可能に設けるとともに、前記可動梁部および前記固定梁部の延長方向において前記開口窓を等分する中心線に対して前記取付溝を対称に配置しているものである。
【００１０】
請求項３の発明は、請求項１または請求項２の発明において、前記防滴プレートにプレート固定ねじが挿通される固定孔を設け、前記プレート取付部をプレート固定ねじを受けるねじ受け部としたものである。
【００１１】
請求項４の発明は、請求項３の発明において、前記ねじ受け部をプレート固定ねじに螺合するナットが圧入可能な形状に形成したものである。
【００１２】
請求項５の発明は、請求項３の発明において、前記ねじ受け部をプレート固定ねじが螺合するねじ孔としたものである。
【００１３】
請求項６の発明は、請求項１ないし請求項５の発明において、前記化粧プレート係止部を、前記化粧プレートに突設された係止突起が挿入係止される化粧プレート係止孔としたものである。
【００１５】
【発明の実施の形態】
（第１の実施の形態）
以下に示す取付プレート１０は、図１ないし図５に示すように、スイッチやコンセントなどの埋込型の配線器具４０（図には２個口のコンセントを示してある）保持するとともに壁面のような造営面１（図２参照）に設けた埋込孔２の開口周部を覆う形で造営面に取着されるものである。この取付プレート１０は、図６ないし図１１に示すように、絶縁性を有する合成樹脂（ＡＢＳ樹脂のような熱可塑性樹脂または弾性を有する熱硬化性樹脂）を用いて矩形枠状に形成された枠本体１１を有し、枠本体１１の中央部には配線器具４０の器体４１の一部が挿入される矩形状の開口窓１２が設けてある。配線器具４０は取付プレート１０に対して、取付プレート１０の前面側（つまり造営面１に取り付けたときに露出する側）に配線器具４０の機能面（つまりスイッチであれば操作部を設けた面であり、コンセントであれば差込口を設けた面）が臨むように挿入される。
【００１６】
枠本体１１は、平行な一対の取付枠片１１ａ，１１ｂの両端間を一対の保持枠片１１ｃ，１１ｄにより連続一体に結合した形で矩形枠状に形成されている。開口窓１２の長手方向の一方の側縁には帯状の固定梁部１３が形成され、他方の側縁には帯状の可動梁部１４が設けられる。可動梁部１４の中間部は保持枠片１１ｄから一体に延設された支持リブ１４ａに連続一体に結合された部位を除いて一方の保持枠片１１ｄから離間している。また、可動梁部１４の両端部は連結部１４ｂを介して取付枠片１１ａ，１１ｂに連続一体に結合されている。したがって、可動梁部１４と保持枠片１１ｄとの間に形成される隙間は支持リブ１４ａによって３区画に分割されることになる（以下では、各区画をスリット１５ａ〜１５ｃと呼ぶ。）。このうち、両側のスリット１５，１５ｃは取付枠片１１ａ，１１ｂ側の端部が保持枠片１１ｃ側に延長された略Ｌ字状に形成されている。さらに保持枠片１１ｄにおいて各支持リブ１４ａ近傍部位には、可動梁部１４を撓み易くさせるために保持枠片１１ｄの長手方向に延長された長孔状の一対の溝孔１６が形成されている。
【００１７】
固定梁部１３および可動梁部１４において開口窓１２に臨む面には、配線器具４０の器体４１の両側面に突設された取付爪４２を係止する取付溝１３ｃ，１４ｃをそれぞれ３対設けてある。また、各保持枠片１１ｃ，１１ｄにおいて固定梁部１３の突設部位および可動梁部１４の突設部位よりも開口窓１２側には当接部１３ｄ，１４ｄがそれぞれ設けてある。配線器具４０の器体４１の両側面には後述するようにそれぞれ取付係止台４１ａが突設され、取付爪４２は取付係止台４１ａの側面に突設されているのであって、取付爪４２を取付溝１３ｃ，１４ｃに係止した状態において取付係止台４１ａの前面が当接部１３ｄ，１４ｄに当接するようにしてある。
【００１８】
上述のように、配線器具４０の器体４１に設けた取付爪４２を各取付溝１３ｃ，１４ｃに係止させるとともに、取付係止台４１ａの前面を当接部１３ｄ，１４ｄに当接させることによって、配線器具４０の機能面を開口窓１２から露出させた形で取付プレート１０に配線器具４０を取着することができる。したがって、取付プレート１０に取り付けられた配線器具４０に取付プレート１０の前方への外力が作用したとしても取付係止台４１ａと当接部１３ｄ，１４ｄとが当接していることにより前方への移動が規制され、配線器具４０に後方への外力が作用したとしても取付爪４２と取付溝１３ｃ，１４ｃとが当接していることにより後方への移動が規制される。
【００１９】
加えて、取付プレート１０の可動梁部１４の両端部に設けた連結部１４ｂは取付枠片１１ａ，１１ｂに連続しているから、配線器具４０の器体４１に前面側から後方に強い押圧力が作用しても可動梁部１４の後端部が配線器具４０の器体４１から離れる向きに撓むことがなく、取付爪４２が取付溝１３ｃ，１４ｃから外れることがないのであって、取付プレート１０からの配線器具４０の脱落を防止することができる。
【００２０】
ここに、配線器具４０を開口窓１２に３個まで取り付けることができるとき、つまり開口窓１２の長手方向において配線器具４０の機能面の寸法が開口窓１２の開口幅の略３分の１であるときに、この配線器具４０を単位寸法の配線器具４０と呼ぶことにする。つまり、単位寸法の配線器具４０は固定梁部１３と可動梁部１４との各一対ずつの取付溝１３ｃ，１４ｃに対して取付爪４２を係合させることによって取付プレート１０に保持される。このように配線器具４０の単位寸法を規格化しておくことにより、各種の配線器具を１種類の取付プレート１０に取り付けることができることになる。また、単位寸法の配線器具４０であれば上述した開口窓１２には３個まで取り付けることができるから、同種の配線器具４０を取り付ける個数を変えたり、異なる種類の配線器具を組み合わせて用いたりすることができる。たとえばＪＩＣ  Ｃ  ８３７５の「大角形連用配線器具」等はこの種の規格であり、このような寸法に適合した配線器具であれば、取付プレート１０を共用することができる。
【００２１】
本実施形態においては単位寸法の配線器具４０の３個分に相当する寸法のコンセントを配線器具４０として例示してあり、したがって取付プレート１０に対して１個だけ取り付けられている。また、器体４１の左右各側面に２個ずつの取付係止台４１ａが突設され、各取付係止台４１ａの側面に一対ずつの取付爪４２が突設されている。つまり、器体４１の各側面には２対ずつの取付爪４２が形成される。
【００２２】
本実施形態で用いる配線器具４０は機能面に２個口の差込部を備えており、各差込部は３個の差込口４３ａ〜４３ｃを有している。１つの差込口４３ｃは接地用として用いられる。また、他の２個の差込口４３ａ，４３ｂはそれぞれ矩形の一側縁に円形を連続させた形状（Ω字形に近い形状）に形成されており、矩形部分に平板状の栓刃が挿入可能であるとともに、円形部分に丸ピン状の栓刃が挿入可能になっている。つまり、複数種類の形態のプラグに対応可能になっている。
【００２３】
ところで、固定梁部１３および可動梁部１４の後端部には、配線器具４０の取付爪４２を取付プレート１０の後面側から取付溝１３ｃ，１４ｃに導入する際に各取付爪４２を取付溝１３ｃ，１４ｃに追い込むように案内する案内部１３ｅ，１４ｅが形成されている。案内部１３ｅ，１４ｅは開口窓１２側の面が後端側ほど互いの距離を広げるように傾斜した傾斜面を有する。したがって、この傾斜面に取付爪４２を当接させた状態で配線器具４０を取付プレート１０の後側から前方に押し込めば、取付爪４２がガイド部１３ｅ，１４ｅの傾斜面に沿って取付溝１３ｃ，１４ｃに案内されることになる。
【００２４】
一方、各一対の取付溝１３ｃの間には、取付プレート１０の前後に貫通する器具外し孔１３ｂが形成されている。取付プレート１０に取り付けた配線器具４０を取り外す際には、器具外し孔１３ｂにマイナスドライバや専用の治具の先端部を挿入し、その先端部で器体４１を可動梁部１４側へ押すように力を加えると、梃子の原理によって比較的小さい力で可動梁部１４を撓ませることができる。したがって、固定梁部１３側の取付溝１３ｃと配線器具４０の取付爪４２との係止状態が解除されて取付プレート１０から配線器具４０を取り外すことができるようになる。
【００２５】
ところで、取付プレート１０の取付枠片１１ａ，１１ｂにはそれぞれ前面を凹没させた凹所１７が形成してある。各凹所１７には、埋込ボックス３（図２参照）の舌片３ａに螺合するボックスねじ４が挿通される長孔状のボックス用孔１８ａが形成されるとともに、取付プレート１０を壁面等の造営面に直付けするための直付けねじが挿通されるねじ挿通孔１８ｂが形成される。さらに、凹所１７に対応する部位には、造営面を形成する壁パネル等に取り付ける際に使用するはさみ金具（図示せず）の一端部を引掛けるためのはさみ金具引掛孔１８ｃも設けられる。はさみ金具はボックス用孔１８ａに挿通される締付ねじの先端部に螺合し、締付ねじを締め付けることによって取付プレート１０の周部との距離を小さくするように構成される。したがって、造営面を壁パネル等で形成しているときには、埋込孔２の周部を取付プレート１０の周部とはさみ金具との間で挟持することによって取付プレート１０を造営面に固定することができる。
【００２６】
取付プレート１０の枠本体１１の四隅には、後述する化粧プレート３０のプレート本体３１の後面から突設した係止突起３３が挿入される化粧プレート係止孔１９ａがそれぞれ設けてある。各化粧プレート係止孔１９ａにそれぞれ係止突起３３を挿入すると係止突起３３は枠本体１１に係止され、取付プレート１０の前面側に化粧プレート３０が着脱自在に取り付けられる。
【００２７】
本実施形態の特徴は、防滴プレート２０に設けた固定孔２１を通して挿通されるプレート固定ねじ２２を受けるねじ受け部１９ｂを各取付枠片１１ａ，１１ｂの中央部に設けたことにあり、ねじ受け部１９ｂはプレート固定ねじ２２が挿入可能な貫通孔として形成されている。また、プレート固定ねじ２２に螺合するナット２３（図４、図５参照）をねじ受け部１９ｂの後面側からねじ受け部１９ｂに圧入可能になっている。ここに、ナット２３を設けずにねじ受け部１９ｂをねじ孔としてプレート固定ねじ２２を螺合させるようにしてもよい。
【００２８】
次に、本実施形態で用いる防滴プレート２０について説明する。防滴プレート２０は塩化ビニルのような耐候性のよい材料により形成され、取付プレート１０の前面側を覆うとともに配線器具４０を露出させるための窓孔２４を有した矩形枠状のベース２５と、ベース２５の長手方向の一端縁に沿って配置された回転軸２７を用いてベース２５に軸着されるカバー体２６とを備える。回転軸２７はベース２５の前面に突設された軸受台２５ａに保持され、カバー体２６に設けた軸受部２６ａに挿通される。この構成によって、カバー体２６は、窓孔２４を覆う位置と窓孔２４を開放する位置との間でベース２５に対して開閉自在になっている。また、カバー体２６の長手方向において軸受部２６ａとは反対側の端縁にはつまみ突片２６ｂが突設され、カバー体２６を開閉する際につまみ突片２６ｂに指を引掛けてカバー体２６の開閉操作が容易にできるようにしてある。
【００２９】
ベース２５の前面であって固定孔２１および窓孔２４を囲む部位には水切壁２５ｂが突設されている。さらに、ベース２５の周縁には後方に向かって位置決め突片２５ｃが突設され、位置決め突片２５ｃは矩形環状に形成されたパッキン２８が装着される。パッキン２８は、図１４ないし図１７に示すように、矩形環状であって位置決め突片２５ｃと嵌合する位置決め溝２８ａが前面周部に形成されたものである。パッキン２８の内周形状は取付プレート１０の外周形状にほぼ一致し、取付プレート１０の外周がパッキン２８で囲まれるようになっている。また、パッキン２８の後面周部には複数本の水切溝２８ｂが形成され、水切溝２８ｂの近傍には他の部位よりも後方に突出しパッキン２８が造営面１に当接したときに撓むフィン部２８ｃが形成されている。さらに、パッキン２８の左右両側部には各２個ずつの逃がし切欠２８ｄを形成してある。逃がし切欠２８ｄは取付プレート１０の一方の側縁に突設した２個の受け片１０ａを挿入可能とするものであり、取付プレート１０をパッキン２８が囲んだ状態で受け片１０ａが逃がし切欠２８ｄに挿入されることによって、パッキン２８が受け片１０ａの前面側に乗り上げないようにしてある。また、パッキン２８の左右両側部に逃がし切欠２８ｄを形成しているから、図１８に示すように、取付プレート１０の上下を逆にしても防滴プレート２０の取付が可能になる。要するに、４個の逃がし切欠２８ｄは矩形枠状に形成したパッキン２８の中心を通る対称軸の回りで２回回転対称となる位置に設けられていることになる。ここに、受け片１０ａは、取付プレート１０に化粧プレート３０を取り付けたときに、その化粧プレート３０を外すために設けられている。
【００３０】
上述したパッキン２８の位置決め溝２８ａにベース２５の位置決め突片２５ｃを嵌着し、パッキン２８を造営面１に当接させた形でプレート固定ねじ２２を締め付けると、パッキン２８の周部がベース２５によって造営面１に押し付けられ、ベース２５の周部と造営面１との間の水密性を確保することができる。また、上述したようにベース２５の前面には水切壁２５ｂが形成されているから、カバー体２６を閉じた状態でベース２５とカバー体２６との間に雨滴が入ったとしても水切壁２５ｂが存在していることによって固定孔２１や窓孔２４に水が浸入することがないのである。
【００３１】
ところで、化粧プレート３０は絶縁性を有する合成樹脂（ＡＢＳ樹脂のような熱可塑性樹脂または弾性を有する熱硬化性樹脂）により形成され、図２０ないし図２３に示すように、取付プレート１０の前面を覆う矩形のプレート本体３１の周縁の全周に亘って周壁３２が後方に延設された薄箱状になっている。取付プレート１０の化粧プレート係止孔１９ａに挿入される係止突起３３は、プレート本体３１の後面の四隅に突設してある。プレート本体３１の中央部には、取付プレート１０に取り付けた配線器具４０の機能面を露出させる窓孔３４が開口する。化粧プレート３０の周壁３２の内周面の形状は取付プレート１０の外周面の形状にほぼ一致しており、図１９に示すように、造営面１に取り付けた取付プレート１０の前面側に化粧プレート３０を取着すると、取付プレート１０が化粧プレート３０の内側に収まり、周壁３２の先端縁が造営面１にほぼ当接するようにしてある。その結果、取付プレート１０と化粧プレート３０との突き合わせ面が造営面１よりも前方へ出ることがなく、両者の突き合わせの線が側面からはほとんど見えなくなって見映えがよくなる。
【００３２】
また、化粧プレート３０の左右の周壁３２の後部内周面には、図２４のように、後部ほど開口幅を広げるように傾斜した傾斜面３２ａが形成される。また、周壁３２の内周面にはそれぞれ取付プレート１０の周縁に当接して化粧プレート３０が取付プレート１０に対してがたつくのを防止する規制リブ３５が複数個設けられる。ここに、規制リブ３５の後面側にもガイド用のテーパ面３５ａを設けるようにすれば、化粧プレート３０がさらに取り付けやすくなる。
【００３３】
一方、図１０に示すように、取付プレート１０の両保持枠片１１ｃ，１１ｄの外周部には後方に向かって外側に開くように傾斜するテーパ面１０ｂが形成されるとともに、保持枠片１１ｃに設けたテーパ面１０ｂには張出部１０ｃが形成されている。化粧プレート３０の左右の周壁の内側面には押さえリブ３６が突設され、張出部１０ｃの前面に押さえリブ３６が載置されることにより、化粧プレート３０のがたつきが防止される。ここで、取付プレート１０に化粧プレート３０を取り付ける際には、規制リブ３５が取付プレート１０の保持枠片１１ｃ，１１ｄに形成した上記テーパ面１０ｂによって案内されるから、取り付けが容易になる。
【００３４】
プレート本体３１の長手方向に沿った一方の周壁３２には一対の切欠部３７が設けてあり、取付プレート１０に化粧プレート３０を取り付けるときには、取付プレート１０に設けた受け片１０ａが切欠部３７に嵌合するようになっている。したがって、取付プレート１０に結合した化粧プレート３０を取り外す際には、受け片１０ａと切欠部３７との間に治具（マイナスドライバの先端部等）を差し込んで化粧プレート３０に前方への力を作用させると、プレート本体３１の係止突起３３と取付プレート１０の化粧プレート係止孔１５との係合状態を解除することができる。つまり、化粧プレート３０を取付プレート１０から取り外すことができる。ここで、取付プレート１０の保持枠片１１ｄにおいて受け片１０ａに対応する部位には、テーパ面１０ｂよりも内側へ凹んだ逃がし部１０ｄ（図１１参照）が形成され、切欠部３７に差し込まれた治具を逃がし部１０ｄまで挿入することにより、治具の挿入量を大きくすることができ、化粧プレート３０を取り外す際に容易に力を作用させることができるようにしてある。また、受け片１０ａの突出量は化粧プレート３０の切欠部３７から突出しない程度に設定してる。この受け片１０ａを設けていることによって、切欠部３７を通して差し込んだ治具が造営面１に直接当接するのを防止することができ、化粧プレート３０を取付プレート１０から取り外す際に治具によって造営面１に傷が付くのを防ぐことができる。
【００３５】
またプレート本体３１の後面には、化粧プレート３０を取付プレート１０に取着したときに取付プレート１０に設けた３つのスリット１５ａ〜１５ｃにそれぞれ嵌入される突条片３８ａ〜３８ｃを突設してある（図２２、図２５参照）。ここで、各突条片３８ａ〜３８ｃの寸法は、取付プレート１０の各スリット１５ａ〜１５ｃに嵌入された状態で、スリット１５ａ〜１５ｃの内周面と各突条片３８ａ〜３８ｃとの間にほとんど隙間が生じないような寸法に設定してある。すなわち、配線器具４０を取り付けた取付プレート１０に化粧プレート３０を取着した状態では、３つの突条片３８ａ〜３８ｃが取付プレート１０の各スリット１５ａ〜１５ｃに嵌入され、スリット１５ａ〜１５ｃの内周面と各突条片３８ａ〜３８ｃとの間にはほとんど隙間が生じないから、取付プレート１０の可動梁部１４の撓みが規制されることになる。その結果、配線器具４０としてコンセントを使用しているときにコンセントに差し込まれたプラグを異常に大きな力で引き抜く等の衝撃が加えられた場合でも、上記の如く可動梁部１４の動きが規制されているために配線器具４０の取付爪４２と可動梁部１４および固定梁部１３の取付溝１３ｃ，１４ｃとの係止が外れ難くなるものである。
【００３６】
化粧プレート３０に設けた規制リブ３５や押さえリブ３６を載置する張出部１０ｃは取付プレート１０の全周に亘って設けることも可能であるが、埋込ボックス３に取り付けるためにボックスねじ４を締め付けたときに取付プレート１０が多少変形することでボックスねじ４が挿通されるボックス用孔１８ａの周辺部分で化粧プレート３０と取付プレート１０とが干渉することがあり、この場合、化粧プレート３０が見映え良く取り付けられない可能性がある。対して本実施形態では、ボックス用孔１８ａの周辺（取付プレート１０の四隅）を避けて張出部１０ｃを設けているから、ボックスねじ４の締め付けで取付プレート１０が変形しても化粧プレート３０に干渉せずに見映えよく取り付けることができる。
【００３７】
（第２の実施の形態）
第１の実施の形態では、取付プレート１０として左右に３対ずつの取付溝１３ｃ，１４ｃを設けた例を示したが、第１の実施の形態の構成では、単位寸法の配線器具４０を２個用いるときには取付プレート１０の長手方向の中心に対して非対称な位置に取り付けるか、あるいは互いに離して取り付けることになる。また、単位寸法の配線器具４０の２個分の寸法を有する配線器具４０を用いる場合も取付プレート１０の長手方向の中心に対して非対称な位置に取り付けることになる。
【００３８】
本実施形態は、単位寸法の配線器具４０を２個用いたり、単位寸法の配線器具４０の２個分の寸法を有する配線器具４０を用いたりする際に見映えよく取り付けることができるようにしたものである。以下では単位寸法の配線器具４０の２個分の寸法を有する配線器具４０を用いる場合について例示する。
【００３９】
図２９ないし図３２に示すように、本実施形態において用いる取付プレート１０は単位寸法の配線器具４０を３個まで配列することが可能な寸法の開口窓１２を有しているが、固定梁部１３と可動梁部１４とにはそれぞれ２対ずつの取付溝１３ｃ，１４ｃを設けている。また、開口窓１２の長手方向を２分する中心線を挟んで一対ずつの取付溝１３ｃ，１４ｃが対称に位置するように配置してあり、しかも、単位寸法の配線器具４０を２個並べて取付プレート１０に取り付けたときに、両配線器具４０の器体４１の間に隙間が形成されないような位置関係としてある。
【００４０】
したがって、図２６ないし図２８に示すように、単位寸法の配線器具４０の２個分の寸法を有する配線器具４０を取付プレート１０に取り付けたときに、開口窓１２の長手方向おいて器体４１を除く部位の開口幅はほぼ等しくなる。また、防滴プレート２０に形成される窓孔２４は、配線器具４０が単位寸法の２倍の大きさであるにもかかわらずベース２５の長手方向の１側に偏ることなくほぼ中央部に形成されることになる。このような構成を採用することによって、見映えよく施工することができる。
【００４１】
他の構成は第１の実施の形態と同様であり、本実施形態の取付プレート１０においても図３３のように、化粧プレート３０を取付プレート１０に着脱することができる。ここで、化粧プレート３０の窓孔３４についても、化粧プレート３０の中央部に形成されるから、見映えがよいものである。化粧プレート３０は、図３４に示す形状に形成されている。この化粧プレート３０は窓孔３４の寸法および位置が第１の実施の形態で用いた化粧プレート３０とは異なるが、他の構成および機能については第１の実施の形態と同様である。
【００４２】
【発明の効果】
請求項１の発明は、造営面に設けた埋込孔の開口周部を覆う形で造営面に取着されるとともに埋込型の配線器具が挿入される開口窓を有した枠本体と、配線器具の一側面に突設した取付爪を係止する取付溝を有し開口窓の一側縁に沿って設けられた固定梁部と、配線器具の他側面に突設した取付爪を係止する取付溝を有し開口窓の他側縁に沿って設けられ固定梁部との距離が可変となる方向に撓み自在である可動梁部とを備え、配線器具の一部を露出させた形で枠本体を覆う化粧プレートを着脱自在に係止する化粧プレート係止部が枠本体に設けられ、前記枠本体を防滴した形で覆う防滴プレートを取付可能とするプレート取付部が前記枠本体に設けられている配線器具用の取付プレートと、前記防滴プレートは、前記枠本体を覆うベースと、前記配線器具を覆う位置と前記配線器具を開放する位置との間で開閉自在となるようにベースに取り付けられたカバー体と、前記造営面と前記ベースの周部との間に挟装される枠状のパッキンとを備え、パッキンの造営面側の周部には他の部位よりも後方に突出しパッキンが造営面に当接したときに撓むフィン部が形成され、前記取付プレートの一側縁において造営面に沿って突設された受け片を挿入可能とする複数個の逃がし切欠が、フィン部の内側であって前記パッキンの中心を通る対称軸の回りで２回回転対称となる位置で前記パッキンに設けられている防滴プレートを具備するものであり、枠本体の一側縁に設けた受け片が挿入可能となる逃がし切欠をパッキンに設け、その位置が２回回転対称となるようにしているから、配線器具の左右を入れ換えても逃がし切欠に受け片を挿入することが可能であり、配線器具の取り付け方向の制約が少なくなる。
【００４３】
請求項２の発明は、請求項１の発明において、可動梁部および固定梁部の延長方向において開口窓に３個まで並設可能な配線器具の寸法を単位寸法として、取付溝を単位寸法の配線器具を２個取付可能に設けるとともに、可動梁部および固定梁部の延長方向において開口窓を等分する中心線に対して取付溝を対称に配置しているものであり、単位寸法の配線器具を２個並設する場合や単位寸法の２倍の配線器具を取り付ける場合には、開口窓に対してほぼ対称に配線器具を配置することができ、見映えよく配線器具を配置することができる。
【００４４】
請求項３の発明は、請求項１または請求項２の発明において、防滴プレートにプレート固定ねじが挿通される固定孔を設け、プレート取付部をプレート固定ねじを受けるねじ受け部としたものであり、プレート固定ねじを受けるねじ受け部を枠本体に設けたことによって従来から提供されている防滴プレートを枠本体に取り付けることができるようになる。
【００４５】
請求項４の発明は、請求項３の発明において、ねじ受け部をプレート固定ねじに螺合するナットが圧入可能な形状に形成したものであり、枠本体が合成樹脂成型品であってもプレート固定ねじをナットに螺合させることによって、強固に結合することができる。
【００４６】
請求項５の発明は、請求項３の発明において、ねじ受け部をプレート固定ねじが螺合するねじ孔としたものであり、別部材を用いることなく枠本体にプレート固定ねじを結合することができる。
【００４７】
請求項６の発明は、請求項１ないし請求項５の発明において、化粧プレート係止部を、化粧プレートに突設された係止突起が挿入係止される化粧プレート係止孔としたものであり、化粧プレートを枠本体に取り付ける部材を外部に露出させることがないから、見映えよく施工することができる。
【図面の簡単な説明】
【図１】本発明の第１の実施の形態の使用例を示す分解斜視図である。
【図２】同上の施工例を示す分解斜視図である。
【図３】同上の使用例を示す一部切欠した正面図である。
【図４】同上の使用例を示す一部切欠した側面図である。
【図５】同上の使用例を示す背面図である。
【図６】同上の正面図である。
【図７】同上の縦断面図である。
【図８】同上の縦断面図である。
【図９】同上の背面図である。
【図１０】同上の横断面図である。
【図１１】同上の横断面図である。
【図１２】同上の要部断面図である。
【図１３】同上の要部断面図である。
【図１４】同上に用いるパッキンを示す正面図である。
【図１５】同上に用いるパッキンの縦断面図である。
【図１６】同上に用いるパッキンの背面図である。
【図１７】同上に用いるパッキンの一部切欠下面図である。
【図１８】同上の使用例を示す動作説明図である。
【図１９】同上に化粧プレートを取り付ける状態の分解斜視図である。
【図２０】同上に用いる化粧プレートの正面図である。
【図２１】同上に用いる化粧プレートの縦断面図である。
【図２２】同上に用いる化粧プレートの背面図である。
【図２３】同上に用いる化粧プレートの横断面図である。
【図２４】同上に用いる化粧プレートの要部断面図である。
【図２５】同上に用いる化粧プレートの要部断面図である。
【図２６】本発明の第２の実施の形態の使用例を示す分解斜視図である。
【図２７】同上の施工例を示す断面図である。
【図２８】同上の施工例を示す正面図である。
【図２９】同上の正面図である。
【図３０】同上の縦断面図である。
【図３１】同上の縦断面図である。
【図３２】同上の背面図である。
【図３３】同上に化粧プレートを取り付ける状態の分解斜視図である。
【図３４】同上に用いる化粧プレートを示し、（ａ）は背面図、（ｂ）は側面図、（ｃ）は下面図である。
【符号の説明】
１  造営面
２  埋込孔
１０  取付プレート
１０ａ  受け片
１１  枠本体
１２  開口窓
１３  固定梁部
１４  可動梁部
１３ｃ，１４ｃ  取付溝
１９ａ  化粧プレート係止孔
１９ｂ  ねじ受け部
２０  防滴プレート
２１  固定孔
２２  プレート固定ねじ
２３  ナット
２５  ベース
２６  カバー体
２８  パッキン
２８ｄ  逃がし切欠
３０  化粧プレート
３３  係止突起
４０  配線器具
４２  取付爪
【図１】
0004047486.tif 000002
【図２】
0004047486.tif 000003
【図３】
0004047486.tif 000004
【図４】
0004047486.tif 000005
【図５】
0004047486.tif 000006
【図６】
0004047486.tif 000007
【図７】
0004047486.tif 000008
【図８】
0004047486.tif 000009
【図９】
0004047486.tif 000010
【図１０】
0004047486.tif 000011
【図１１】
0004047486.tif 000012
【図１２】
0004047486.tif 000013
【図１３】
0004047486.tif 000014
【図１４】
0004047486.tif 000015
【図１５】
0004047486.tif 000016
【図１６】
0004047486.tif 000017
【図１７】
0004047486.tif 000018
【図１８】
0004047486.tif 000019
【図１９】
0004047486.tif 000020
【図２０】
0004047486.tif 000021
【図２１】
0004047486.tif 000022
【図２２】
0004047486.tif 000023
【図２３】
0004047486.tif 000024
【図２４】
0004047486.tif 000025
【図２５】
0004047486.tif 000026
【図２６】
0004047486.tif 000027
【図２７】
0004047486.tif 000028
【図２８】
0004047486.tif 000029
【図２９】
0004047486.tif 000030
【図３０】
0004047486.tif 000031
【図３１】
0004047486.tif 000032
【図３２】
0004047486.tif 000033
【図３３】
0004047486.tif 000034
【図３４】
0004047486.tif 000035